(57)【要約】【課題】ガーゼを容易に切断することができ、衛生上優れたガーゼ包装体を提供することを目的とする。【解決手段】本発明のガーゼ包装体１Ａは、長尺のガーゼ３Ａと、長尺のガーゼ３Ａを収納する収納体５と、収納体５に設けられた開口部７と、開口部７を開閉する蓋体９と、を備えている。長尺のガーゼ３Ａは、幅方向に三つ折りに折畳まれ、長手方向に所定の長さで交互に折畳まれて積層されている。開口部７は、長尺のガーゼ３Ａの幅Ｗ１より狭小な幅Ｗ２で形成されている。これにより、長尺のガーゼ３Ａを必要な分だけ引出して一度で切断することができ、開口部７の近傍で切断された後の残りを開口部７から収納体５の中に戻し、蓋体９を再度貼付けて開口部７を密閉することにより、長尺のガーゼ３Ａの汚染を最小限に抑えることができ、良好な衛生状態を保つことができる。【選択図】図５
2017124838.tif 000002
【特許請求の範囲】
【請求項１】
幅方向に折畳まれ、さらに、長手方向に交互に折畳まれて積層された長尺のガーゼと、
前記長尺のガーゼを収納する収納体と、
前記長尺のガーゼの一端部に臨んで前記収納体に設けられる開口部と、
前記開口部を開閉可能な蓋体と、を備えることを特徴とするガーゼ包装体。
【請求項２】
幅方向に折畳まれ、さらに、長手方向にロール状に巻かれた長尺のガーゼと、
前記長尺のガーゼを収納する収納体と、
ロール状に巻かれた前記長尺のガーゼの内周側の一端部に臨んで前記収納体に設けられる開口部と、
前記開口部を開閉可能な蓋体と、を備えることを特徴とするガーゼ包装体。
【請求項３】
前記開口部は、幅方向に折畳まれた前記長尺のガーゼの幅よりも狭小であることを特徴とする請求項１又は２に記載のガーゼ包装体。
【請求項４】
前記蓋体は、合成樹脂製のスナップ式キャップであることを特徴とする請求項１乃至３のいずれか１項に記載のガーゼ包装体。
【発明の詳細な説明】
【技術分野】
【０００１】
本発明は、創傷の治療に用いるガーゼを包装するガーゼ包装体に関するものである。
【背景技術】
【０００２】
従来、創傷の治療、手術等に用いられるガーゼは、細菌、塵等によって汚染されないように、包装袋内に収納し、衛生性を高めている（例えば、特許文献１参照）。例えば、包装袋内に収納されたガーゼを創傷の治療に用いるとき、ガーゼを包装袋内から取出し、創傷患部に応じて適当なサイズにハサミ等で切って用いられている。このとき、使用者は、ガーゼ及びハサミのサイズによって、複数回切込む必要があり、作業に手間がかかる。また、ガーゼの切断後、使用しないガーゼは、再度包装袋内に収納するが、ガーゼを切断する際に、人肌に触れることで衛生上問題がある。
【先行技術文献】
【特許文献】
【０００３】
【特許文献１】特開２００９−８３８５５号公報
【発明の概要】
【発明が解決しようとする課題】
【０００４】
本発明は、上記課題に鑑みてなされたものであり、ガーゼを容易に切断することができ、衛生上優れたガーゼ包装体を提供することを目的とする。
【課題を解決するための手段】
【０００５】
上記の課題を解決するために、請求項１に係るガーゼ包装体は、幅方向に折畳まれ、さらに、長手方向に交互に折畳まれて積層された長尺のガーゼと、
前記長尺のガーゼを収納する収納体と、
前記長尺のガーゼの一端部に臨んで前記収納体に設けられる開口部と、
前記開口部を開閉可能な蓋体と、を備えることを特徴とする。
請求項２に係るガーゼ包装体は、幅方向に折畳まれ、さらに、長手方向にロール状に巻かれた長尺のガーゼと、
前記長尺のガーゼを収納する収納体と、
ロール状に巻かれた前記長尺のガーゼの内周側の一端部に臨んで前記収納体に設けられる開口部と、
前記開口部を開閉可能な蓋体と、を備えることを特徴とする。
請求項３に係るガーゼ包装体は、上記請求項１又は２の構成において、前記開口部は、幅方向に折畳まれた前記長尺のガーゼの幅よりも狭小であることを特徴とする。
請求項４に係るガーゼ包装体は、上記請求項１乃至３のいずれか１項の構成において、前記蓋体は、合成樹脂製のスナップ式キャップであることを特徴とする。
【発明の効果】
【０００６】
上記請求項１及び２に係る発明によれば、長尺のガーゼを容易に切断することができ、衛生上優れたガーゼ包装体を提供することができる。
上記請求項３に係る発明によれば、長尺のガーゼを開口部の近くで容易に一度で切断することができるガーゼ包装体を提供することができる。
上記請求項４に係る発明によれば、長尺のガーゼの切断時の切り屑が蓋体の開閉に影響しないガーゼ包装体を提供することができる。
【図面の簡単な説明】
【０００７】
【図１】本発明の第１実施形態に係るガーゼ包装体の概略斜視図である。
【図２】図１に示すガーゼ包装体の平面図である。
【図３】図２に示すＡ−Ａ線に沿ったガーゼ包装体の概略断面図である。
【図４】図２に示すＢ−Ｂ線に沿ったガーゼ包装体の概略断面図である。
【図５】図１に示すガーゼ包装体の蓋体の開状態を示す概略斜視図である。
【図６】本発明の第２実施形態に係るガーゼ包装体の概略斜視図である。
【図７】図６に示すガーゼ包装体の蓋体の開状態を示す概略斜視図である。
【発明を実施するための形態】
【０００８】
以下、本発明の第１実施形態に係るガーゼ包装体を図１〜図５に基づいて詳細に説明する。
本発明のガーゼ包装体１Ａは、ガーゼを収納するものであり、図１〜図５に示すように、長尺のガーゼ３Ａと、この長尺のガーゼ３Ａを収納する収納体５と、この収納体５に設けられた開口部７と、この開口部７を開閉する蓋体９と、を備えている。
【０００９】
長尺のガーゼ３Ａは、幅方向に三つ折りに折畳まれ（図４参照）、途切れることなく連続に延びている。また、長尺のガーゼ３Ａは、長手方向に所定の長さで交互に折畳まれて積層され（図３参照）、積層された状態で、収納体５内に収納されている。
【００１０】
収納体５は、ポリエチレン、ポリプロピレン、ポリ塩化ビニル等の合成樹脂材料で形成され、柔軟性を有した袋体（図示の例では合掌袋）である。この包装体５は、厚さを確保するために、マチ１１（折り込み部）が設けられて、ガーゼ３Ａを収納して略直方体を成す。また、包装体５の上面（背貼り側の面の反対側の面）には、略Ｕ字状の切断線１３が形成されている（図１の破線参照）。この切断線１３に囲まれた部分である切断片１５は、切断線１３を覆うように収納体５に貼着されたシート状の蓋体９（後述）に貼付いており、蓋体９が包装体５から剥離されたとき、蓋体９と共に捲り上げられて（図５参照）、開口部７を開口させる。
【００１１】
Ｕ字形の切断線１３によって形成される開口部７は、積層された長尺のガーゼ３Ａの一端側、すなわち、開口部７に対向する、積層された長尺ガーゼ３Ａの上層に臨むように、収納体５の略中央部に設けられている。この開口部７は、幅方向に折畳まれた長尺ガーゼ３Ａの幅Ｗ１より狭小な幅Ｗ２で形成されている（図４参照）。更に、開口部７は、収納体５内の長尺のガーゼ３Ａを指で摘まむことができる程度の大きさに形成されている。開口部７は、蓋体９が収納体５に貼付いているとき、切断片１５及び蓋体９によって塞がれ（図１参照）、蓋体９が収納体５から剥離されたとき、開放される（図５参照）。
【００１２】
蓋体９は、開口部７及びその周囲を覆い、開口部７を開閉可能に収納体５に貼付けられた可撓性の粘着シート部材である。この蓋体９は、開口部７と対向する面側（裏面）が繰り返し貼着、剥離可能な粘着層９ａで形成され、粘着層９ａの反対側の面（表面）は、非粘着層９ｂで形成されている。また、蓋体９の一端部（基端部）は、蓋体９が収納体５から完全に剥離せずに保持される保持部９ｄが形成され、他端部（先端部）は、蓋体９を収納体５から剥離する際に、指で摘まむ把持部９ｃが形成されている。把持部９ｃの表面及び裏面は、非粘着層で形成されており、蓋体９は、把持部９ｃを除いて収納体５に貼付けられている。
【００１３】
以上のように構成されたガーゼ包装体１Ａの使用方法について、次に説明する。
まず、長尺のガーゼ３Ａを収納体５から取り出すために、蓋体９の把持部９ｃを掴み、蓋体９の一端側に向けて捲り上げる（図５参照）。このとき、収納体５の切断片１５は、蓋体９と共に捲り上げられて、開口部７が開口する。
【００１４】
そして、長尺のガーゼ３Ａを使用する分だけ、開口部７を通して収納体５内から取り出す。このとき、開口部７の幅Ｗ２が長尺のガーゼ３Ａの幅Ｗ１より狭小に形成されているため（図４参照）、長尺のガーゼ３Ａは、幅Ｗ１が開口部７の幅Ｗ２と同等又はより狭い状態で引き出される。そして、開口部７の近傍でハサミ等の切断具（図示せず）を用いて長尺のガーゼ３Ａを切断する。このとき、長尺のガーゼ３Ａは、開口部７の近傍で幅が狭くなっているので、ハサミ等によって容易に一度で切断することができる。これにより、長尺のガーゼ３Ａをハサミ等で複数回切込む必要がなくなり、使用者の作業負担を減らすことができる。
【００１５】
そして、長尺のガーゼ３Ａの切断後、残った部分を開口部７から押込んで収納体５内に戻し、蓋体９を収納体５に貼付ける。これにより、開口部７は、蓋体９及び切断片１５によって塞がれて（図３及び図４参照）、収納体５内は密閉される。
【００１６】
このように、長尺のガーゼ３Ａを必要な分だけ引出して切断して使用することができ、開口部７の近傍で切断された後の残りを開口部７から収納体５の中に戻し、蓋体９を再度貼付けて開口部７を密閉することにより、長尺のガーゼ３Ａの汚染を最小限に抑えることができ、良好な衛生状態を保つことができる。
【００１７】
次に、本発明の第２実施形態について、図６及び図７を参照して説明する。なお、以下の説明において、上記第１実施形態に対して、同様の部分には同じ参照符号を用いて、異なる部分についてのみ詳細に説明する。
【００１８】
図６及び図７に示すように、第２実施形態に係るガーゼ包装体１Ｂでは、幅方向に折畳まれた長尺のガーゼ３Ｂは、ロール状に巻かれて、収納体５内に収納されている。この長尺のガーゼ３Ｂの一端部は、中心部（内周部）から引出される。開口部７は、長尺のガーゼ３Ｂの内周側の一端部に臨むように、収納体５に形成されている。収納体５の形状は、ロール状に巻かれた長尺の形状に合わせた円筒状、直方体等の形状とする。
【００１９】
以上のように構成されたガーゼ包装体１Ｂの使用方法について、次に説明する。
上記第１実施形態と同様、まず、蓋体９の把持部９ｃを掴み、蓋体９の一端側に向けて捲り上げ、開口部７が開口する。そして、長尺のガーゼ３Ｂを使用する分だけ、開口部７を通して収納体５内から引き出し、狭小の開口部７の近傍でハサミ等で切断具を用いて切断する。切断後の残りは、開口部７から収納体５内に戻し、蓋体９を収納体５に貼付けて開口部７を密閉する。これにより、第２実施形態に係るガーゼ包装体１Ｂは、上記第１実施形態と同様の作用効果を奏することができる。
【００２０】
なお、第１及び第２実施形態に係るガーゼ包装体１Ａ，１Ｂの長尺のガーゼ３Ａ，３Ｂは、幅方向に三つ折りに折畳まれているが、二つ折り、四つ折り等の折り方を適宜変更することができる。
【００２１】
また、第１及び第２実施形態に係るガーゼ包装体１Ａ，１Ｂの収納体５は、合成樹脂からなる袋体であるが、紙等の他の材質で形成してもよく、また、その形状は適宜変更することができ、例えば、箱状でもよい。第２実施形態に係るガーゼ包装体１Ｂの収納体５は、円筒状の袋又は箱型でもよい。
【００２２】
更に、第１及び第２実施形態に係るガーゼ包装体１Ａ，１Ｂの開口部７は、収納体５の略中央部に設けらているが、中央部の左寄り若しくは右寄り、又は、上部等に適宜位置を変更してもよい。また、開口部７は、略Ｕ字状で形成されているが、菱形、長方形、円形又は楕円形等の形状にしてもよく、また、切断片１５を設けず、単純な穴にしてもよい。
【００２３】
また、第１及び第２実施形態に係るガーゼ包装体１Ａ，１Ｂの蓋体９では、シート状の蓋体９を収納体５に貼付けて、開閉部７を開閉可能にしているが、スナップ式に開閉可能な合成樹脂製のキャップを収納体５に取付けることにより、開口部７を開閉可能にしてもよい。このように蓋体９を合成樹脂製のスナップ式キャップにすることにより、粘着シートを使用しないので、切断による長尺のガーゼ３Ａ，３Ｂの繊維屑による粘着シートの粘着性の低下の問題が生じることがない。
【符号の説明】
【００２４】
１Ａ…ガーゼ包装体、３Ａ…長尺のガーゼ、５…収納体、７…開口部、９…蓋体
【図１】
2017124838.tif 000003
【図２】
2017124838.tif 000004
【図３】
2017124838.tif 000005
【図４】
2017124838.tif 000006
【図５】
2017124838.tif 000007
【図６】
2017124838.tif 000008
【図７】
2017124838.tif 000009
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
幅方向に折畳まれ、さらに、途切れることなく連続に延びて、長手方向に交互に折畳まれて積層された長尺のガーゼと、
前記長尺のガーゼを収納する収納体と、
前記長尺のガーゼの一端部に臨んで前記収納体に設けられる開口部と、
前記開口部を開閉可能な蓋体と、を備え、
前記開口部は、幅方向に折畳まれた前記長尺のガーゼの幅よりも狭小であることを特徴とするガーゼ包装体。
【請求項２】
幅方向に折畳まれ、さらに、途切れることなく連続に延びて、長手方向にロール状に巻かれた長尺のガーゼと、
前記長尺のガーゼを収納する収納体と、
ロール状に巻かれた前記長尺のガーゼの内周側の一端部に臨んで前記収納体に設けられる開口部と、
前記開口部を開閉可能な蓋体と、を備え、
前記開口部は、幅方向に折畳まれた前記長尺のガーゼの幅よりも狭小であることを特徴とするガーゼ包装体。
【請求項３】
前記蓋体は、合成樹脂製のスナップ式キャップであることを特徴とする請求項１又は２に記載のガーゼ包装体。
【手続補正２】
【補正対象書類名】明細書
【補正対象項目名】０００５
【補正方法】変更
【補正の内容】
【０００５】
上記の課題を解決するために、請求項１に係るガーゼ包装体は、幅方向に折畳まれ、さらに、途切れることなく連続に延びて、長手方向に交互に折畳まれて積層された長尺のガーゼと、
前記長尺のガーゼを収納する収納体と、
前記長尺のガーゼの一端部に臨んで前記収納体に設けられる開口部と、
前記開口部を開閉可能な蓋体と、を備え、
前記開口部は、幅方向に折畳まれた前記長尺のガーゼの幅よりも狭小であることを特徴とする。
請求項２に係るガーゼ包装体は、幅方向に折畳まれ、さらに、途切れることなく連続に延びて、長手方向にロール状に巻かれた長尺のガーゼと、
前記長尺のガーゼを収納する収納体と、
ロール状に巻かれた前記長尺のガーゼの内周側の一端部に臨んで前記収納体に設けられる開口部と、
前記開口部を開閉可能な蓋体と、を備え、
前記開口部は、幅方向に折畳まれた前記長尺のガーゼの幅よりも狭小であることを特徴とする。
請求項３に係るガーゼ包装体は、上記請求項１又は２項の構成において、前記蓋体は、合成樹脂製のスナップ式キャップであることを特徴とする。
【手続補正３】
【補正対象書類名】明細書
【補正対象項目名】０００６
【補正方法】変更
【補正の内容】
【０００６】
上記請求項１及び２に係る発明によれば、長尺のガーゼを開口部の近くで容易に一度で切断することができ、衛生上優れたガーゼ包装体を提供することができる。
上記請求項３に係る発明によれば、長尺のガーゼの切断時の切り屑が蓋体の開閉に影響しないガーゼ包装体を提供することができる。